(57)【要約】【課題】反射シートの角部に変形や隙間が発生することを抑制する。【解決手段】表示パネルを背面から照明する複数の光源を有する光源基板を収容するケースであって、光源基板を保持する底部と、底部を囲む複数のケース側壁部とを有するケースと、前記光源から照射された光を反射させる反射シートであって、前記光源基板と略平行に配置される平面部と、各ケース側壁部に対応してそれぞれ設けられ、前記ケース側壁部を覆うシート側壁部とを有する反射シートと、を有し、前記ケースの角部を形成する隣り合う２つのケース側壁部の間に隙間が存在する表示装置において、前記２つのケース側壁部をそれぞれ覆う各シート側壁部には、前記隙間を通って前記ケースの外側に延びる延長部がそれぞれ設けられ、２つの前記延長部は、重ね合わされた状態で、前記２つのケース側壁部に挟持されている。【選択図】図４
2018189843.tif 000002
【特許請求の範囲】
【請求項１】
表示パネルを背面から照明する複数の光源を有する光源基板を収容するケースであって、光源基板を保持する底部と、底部を囲む複数のケース側壁部とを有するケースと、
前記光源から照射された光を反射させる反射シートであって、前記光源基板と略平行に配置される平面部と、各ケース側壁部に対応してそれぞれ設けられ、前記ケース側壁部を覆うシート側壁部とを有する反射シートと、
を有し、前記ケースの角部を形成する隣り合う２つのケース側壁部の間に隙間が存在する表示装置において、
前記２つのケース側壁部をそれぞれ覆う各シート側壁部には、前記隙間を通って前記ケースの外側に延びる延長部がそれぞれ設けられ、
２つの前記延長部は、重ね合わされた状態で、前記２つのケース側壁部に挟持されている
ことを特徴とする表示装置。
【請求項２】
前記２つの延長部のうち第１延長部の先端側には、前記ケースの外側で折り返して前記ケースの内側に向かって延びて、前記２つの延長部とともに前記２つのケース側壁部に挟持される折り返し部が設けられている
ことを特徴とする請求項１に記載の表示装置。
【請求項３】
前記２つの延長部のうち第２延長部は、前記第１延長部と前記折り返し部との間に挟まれた状態で、前記２つのケース側壁部に挟持されている
ことを特徴とする請求項２に記載の表示装置。
【請求項４】
前記２つの延長部のうち第１延長部は、前記第１延長部が設けられたシート側壁部と略同一平面上に存在し、
前記２つの延長部のうち第２延長部が設けられたシート側壁部と、前記第２延長部との間には、折り曲げ部が設けられ、
前記第２延長部は、前記第２延長部が設けられたシート側壁部に対して、前記折り曲げ部で折り曲げられることで、第１延長部と重ね合わされる
ことを特徴とする請求項１乃至３のいずれか１項に記載の表示装置。
【請求項５】
前記２つの延長部のうち第１延長部が設けられたシート側壁部と、前記第１延長部との間には、折り曲げ部が設けられ、
前記２つの延長部のうち第２延長部は、前記第２延長部が設けられたシート側壁部と略同一平面上に存在し、
前記第１延長部は、前記第１延長部が設けられたシート側壁部に対して、前記折り曲げ部で折り曲げられることで、第２延長部と重ね合わされる
ことを特徴とする請求項１乃至３のいずれか１項に記載の表示装置。
【請求項６】
前記２つのケース側壁部の間の隙間の大きさが、前記２つのケース側壁部で挟持される分の前記反射シートの厚みを足し合わせた寸法以下となるように設定されている
ことを特徴とする請求項１乃至５のいずれか１項に記載の表示装置。
【請求項７】
前記２つのケース側壁部の間の隙間の大きさを、前記２つのケース側壁部で挟持される分の前記反射シートの厚みを足し合わせた寸法以下に設定するための突出部が、前記２つのケース側壁部のうち少なくともいずれかのケース側壁部に設けられている
ことを特徴とする請求項１乃至６のいずれか１項に記載の表示装置。
【請求項８】
前記反射シートは、１枚のシート状の部材からなる
ことを特徴とする請求項１乃至７のいずれか１項に記載の表示装置。
【発明の詳細な説明】
【技術分野】
【０００１】
本発明は、表示装置に関するものである。
【背景技術】
【０００２】
近年、表示装置に用いられる表示モジュールは、液晶パネルとバックライトにＬＥＤ光源を用いた表示モジュールが主流である。また、業務用途等で高い画質特性が要求される表示装置は、液晶パネルの背面側に光源基板を配置した直下型のバックライト構造が用いられる。またバックライトは、箱状のケースに光源基板を収容し、光源基板の前方に光を偏光する光学シートを備える。またバックライト内部には、光源基板の表面とケースの側壁を覆う反射シートが配置され、発光効率の向上が図られている。
【０００３】
ここで、従来の反射シートの保持構造について説明する。
図１０は、従来例における反射シートの保持構造を示す図である。
ＬＥＤ光源１２５ａを複数実装する光源基板１２５は、光源基板１２５を保持する平面部と、周囲を覆う側壁部１２８ｂからなる箱形状のケース１２８の内側に収容されている。反射シート１２７は、光源基板１２５の表面を覆う平面部１２７ａと、ケース１２８の側壁部１２８ｂを覆う側壁部１２７ｂで構成されている。また反射シート１２７は、平面部１２７ａと側壁部１２７ｂに取付穴を有し、ネジ１７０でケース１２８に保持されている。
反射シート１２７は、樹脂のシート材を折り曲げて形成されたものである。このため、反射シートの角部には、曲げ加工の際に材料が伸びて曲げ内側にＲ形状が形成されることや加工の寸法公差により隙間Ｈが発生する。この隙間Ｈの発生により、塵埃Ｄ等の異物が侵入して表示品位が低下することが懸念される。
特許文献１には、反射シートの角部を形成する二つの側壁部の一方にスリットを設け、他方に凸形状を形成し、嵌合させることで角部に隙間を発生させない構造が提案されている。
【先行技術文献】
【特許文献】
【０００４】
【特許文献１】特許第５３１９５９１号公報
【発明の概要】
【発明が解決しようとする課題】
【０００５】
しかしながら、特許文献１に記載の技術では、反射シートは剛性の低い樹脂のシート材を折り曲げて形成されているため、角部を形成する二つの側壁部は組立の際に力が加わることやスリットと凸形状の加工の寸法公差により、変形する可能性がある。反射シートの角部が変形すると表示ムラが発生し、変形により隙間が発生すると異物が侵入して表示品位が低下する。
【０００６】
本発明は上記したような事情に鑑みてなされたものであり、表示装置に設けられる反射シートの角部に変形や隙間が発生することを抑制することを目的とする。
【課題を解決するための手段】
【０００７】
本発明は、以下の構成を採用する。すなわち、
表示パネルを背面から照明する複数の光源を有する光源基板を収容するケースであって、光源基板を保持する底部と、底部を囲む複数のケース側壁部とを有するケースと、
前記光源から照射された光を反射させる反射シートであって、前記光源基板と略平行に
配置される平面部と、各ケース側壁部に対応してそれぞれ設けられ、前記ケース側壁部を覆うシート側壁部とを有する反射シートと、
を有し、前記ケースの角部を形成する隣り合う２つのケース側壁部の間に隙間が存在する表示装置において、
前記２つのケース側壁部をそれぞれ覆う各シート側壁部には、前記隙間を通って前記ケースの外側に延びる延長部がそれぞれ設けられ、
２つの前記延長部は、重ね合わされた状態で、前記２つのケース側壁部に挟持されている
ことを特徴とする表示装置である。
【発明の効果】
【０００８】
本発明によれば、表示装置に設けられる反射シートの角部に変形や隙間が発生することを抑制することが可能となる。
【図面の簡単な説明】
【０００９】
【図１】第１の実施例の表示装置の概略構成を示す分解斜視図
【図２】第１の実施例の表示装置の表示モジュールを示す分解斜視図
【図３】第１の実施例の表示装置において反射シートの角部を示す詳細図
【図４】第１の実施例の反射シート保持構造を示す図
【図５】他の形態の反射シート保持構造を示す図
【図６】第２の実施例の表示装置において反射シートの角部を示す詳細図
【図７】第２の実施例の反射シート保持構造を示す図
【図８】他の形態の反射シート保持構造を示す図
【図９】他の形態の反射シート保持構造を示す図
【図１０】従来の反射シートの保持構造を示す図
【発明を実施するための形態】
【００１０】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。
【００１１】
（第１の実施例）
図１は、本発明の第１の実施例の表示装置１の概略構成を示す分解斜視図である。図１においては、図面の手前側が表示装置１の背面側（後方、図にＲで示す）であり、図面の奥側が表示装置１の前面側（前方、図にＦで示す）である。
表示装置１は、フロントカバー１０、表示モジュール２０、駆動基板３０、回路基板４０、ファン５０、およびリアカバー６０を備える。
【００１２】
フロントカバー１０は、表示モジュール２０を前面から覆う筐体である。またフロントカバー１０は、樹脂材料が射出成形で枠形状に形成された部材である。また、フロントカバー１０は、表示モジュール２０の表示領域が前面側に露出するように開口１０ａが設けられている。
駆動基板３０は、回路基板４０から入力されたデータに基づいて、表示モジュール２０の駆動制御を行う。また駆動基板３０は、ノイズ対策で表示モジュール２０と接続するケーブルの長さを短くすることが望ましいため、表示モジュール２０の背面側に近接して配置される。
【００１３】
回路基板４０は、表示モジュール２０が表示する画像のデータを処理するための画像処理基板および表示モジュール２０に電力を供給するための電源基板で構成される。また回路基板４０は、表示モジュール２０の背面側に配置される。
ファン５０は、表示モジュール２０や回路基板４０で発生した熱を外側へ排気する排気装置である。またファン５０は、表示モジュールの背面側上部に配置される。
リアカバー６０は、表示モジュール２０の背面、駆動基板３０、回路基板４０、およびファン５０を収容する筺体である。またリアカバー６０は、板金をプレス加工により箱状に折り曲げて形成した部材である。またリアカバー６０には、背面側上部のファン５０に対向する位置に排気孔６０ａが設けられ、外部から空気を吸引するための吸気孔６０ｂが背面側下部に設けられている。
【００１４】
図２は、本実施例の表示装置１の表示モジュール２０を示す分解斜視図である。図２においては、図面の手前側が表示モジュール２０の前面側（前方、図にＦで示す）であり、図面の奥側が表示モジュール２０の背面側（後方、図にＲで示す）である。
表示モジュール２０は、液晶パネル（表示パネル）２１、フレーム２２、およびバックライト２３を備える。また、バックライト２３は、ホルダ２４、光源基板２５、光学シート２６、反射シート２７、ケース２８を備える。
【００１５】
表示モジュール２０は、画像を表示する液晶パネル２１の背面側に、バックライト２３を配置して、液晶パネル２１を照明する構造となっている。
液晶パネル２１は、薄膜トランジスタ（ＴＦＴ）基板とカラーフィルタ（ＣＦ）基板とからなる一対のガラス基板が所定の間隔をおいて平行に対向配置され、その間隔に液晶が充填された構成となっている。また液晶パネル２１は、複数の画素を有しており、各画素の液晶の配向が駆動基板３０により駆動制御されることで、液晶パネル２１に画像が表示される。液晶パネル２１と駆動基板３０とは、フレキシブル配線ケーブルで接続される。
【００１６】
フレーム２２は、液晶パネル２１の表示領域の周辺領域を前面から支持する支持部材である。またフレーム２２は、板金をプレス金型加工により成形した枠形状の部材である。
ホルダ２４は、液晶パネル２１の表示領域の周辺領域を背面から支持する支持部材である。またホルダ２４は、樹脂材料が射出成形で枠形状に形成された部材である。
液晶パネル２１は、以上の構成により、表示領域の周辺領域を、フレーム２２とホルダ２４により挟持され支持されている。ここで、液晶パネル２１とフレーム２２の間、および、液晶パネル２１とホルダ２４の間には、弾性体のクッションが配置されるとよい。
【００１７】
光源基板２５は、複数のＬＥＤ光源２５ａをマトリクス状に配置した基板である。
光学シート２６は、光源基板２５から発せられた光の輝度や均一性等の光学特性を向上させるための部材である。また、光学シート２６は、拡散板やプリズムシート等の複数のシートを組み合わせて構成されている。
【００１８】
ケース２８は、板金をプレス加工で箱状に形成した部材である。ケース２８の内側には、光源基板２５が収容される。ケース２８は、光源基板２５の背面側を保持する底部（以下、平面部）２８ａと、平面部２８ａと接続し光源基板２５の周囲を囲む複数の側壁部（ケース側壁部）２８ｂを有する。ケース２８においては、後述する図４に示すように、ケース２８の角部を形成する隣り合う側壁部（側壁部２８ｂ１，２８ｂ２）の間に隙間Ｌが存在する。また、ケース２８は、ホルダ２４との間で光学シート２６を保持し、ケース２８の内側を密閉する構造になっている。またケース２８は、光源基板２５で発生した熱を背面側に伝達し、空間に放出する放熱板として機能する。またケース２８の背面には、放熱性を向上させるために、ヒートシンク等の放熱部材が設けられていてもよい。
【００１９】
図３Ａ〜３Ｃは、本実施例の表示装置１において、反射シート２７の角部を示す詳細図
である。図３Ａには反射シートの展開形態を示し、図３Ｂには反射シートの形成形態を示し、図３Ｃには図３ＢのＡ部の拡大図を示している。図４は、本実施例の反射シート保持構造を示す詳細図である。
【００２０】
反射シート２７は、光源基板２５上の光源から照射された光のうち、光学シート２６を透過せず反射した光を、光学シート２６側へ再度反射することで発光効率を向上させる部材である。
また反射シート２７は、反射率の高い樹脂材料からなるシート材を図３Ａに示すようにカットし、図３Ｂに示すように折り線（折り曲げ部）２７ｉに従って折り曲げて箱形状を形成した構造になっている。
【００２１】
反射シート２７は、光源基板２５の基板表面のうち光源領域を除く領域を覆う覆い部であり、光源基板２５と平行（略平行）に配置される覆い部（以下、平面部）２７ａと、ケース２８の内側（側壁部２８ｂ）を覆う複数の側壁部（シート側壁部）２７ｂを有する。反射シート２７の側壁部２７ｂは、ケース２８の各側壁部２８ｂに対応してそれぞれ設けられており、本実施例では、ケース２８の隣り合う側壁部２８ｂ１、２８ｂ２に対応して設けられた側壁部２７ｂ１，２７ｂ２について説明する。
【００２２】
平面部２７ａは、開口２７ｃと取付穴２７ｄを有し、側壁部２７ｂは、取付穴２７ｅを有している。そして、平面部２７ａの取付穴２７ｄを介してネジ７０がケース２８の平面部２８ａに締結され、側壁部２７ｂの取付穴２７ｅを介してネジ７０がケース２８の側壁部２８ｂに締結されることで、反射シート２７がケース２８に保持される。また、平面部２７ａの開口２７ｃは、反射シート２７がケース２８に保持されたときに、光源基板２５のＬＥＤ光源２５ａに対応する位置をとるように配設されている。
【００２３】
以下に、本実施例の特徴的な構成について説明する。
本実施例では、２つの側壁部２７ｂ１，２７ｂ２で形成される反射シート２７の角部には、それぞれ、第１延長部２７ｆ（図３Ａに示すハッチング部分）と第２延長部２７ｇが設けられている。
第１延長部２７ｆは、一方の側壁部２７ｂ１に設けられた部分であって、ケース２８に取り付けられたときに、ケース角部の隙間Ｌを通って、ケース２８の外側まで延長する部分である。
第２延長部２７ｇは、他方の側壁部２７ｂ２に設けられた部分であって、第１延長部２７ｆと並行になるように折り線２７ｉで外側に折り曲げられ、ケース２８に取り付けられたときに、ケース角部の隙間Ｌを通って、ケース２８の外側まで延長する部分である。
そして、第１延長部２７ｆと第２延長部２７ｇが、重ね合わされた状態で、ケース２８の側壁部２８ｂ１と側壁部２８ｂ２で形成される隙間Ｌに挟持されることで、反射シート２７の角部はケース２８に保持されている。
【００２４】
このように、第１延長部２７ｆと第２延長部２７ｇが、重ね合わされた状態で、ケース２８の側壁部２８ｂ１と側壁部２８ｂ２の間の隙間Ｌに挟持されることで、隙間Ｌに挟持された、第１延長部２７ｆと第２延長部２７ｇの間に、隙間が生じることを抑制できる。これにより、反射シート２７の角部に隙間が発生してしまうことを抑制することができる。
さらには、このような構成により反射シート２７の角部がケース２８に保持されることで、反射シート２７の角部が変形してしまうことを抑制することが可能となり、反射シート２７の角部の変形に起因する表示ムラの発生を抑制することができる。また本実施例のように、反射シート２７の角部をケース２８の側壁部２８ｂ１と側壁部２８ｂ２の間の隙間Ｌに挟み込んで保持することで、外力が作用したとしても、反射シート２７が変形してしまうことを抑制することができる。
したがって、反射シート２７の変形を抑制できることにより、反射シート２７の角部に隙間が発生してしまうことを抑制することができる。これにより、反射シート２７の角部から塵埃Ｄ等の異物が侵入することを抑制することができ、異物の侵入により表示品位が低下してしまうことを抑制することができる。
【００２５】
ここで、ケース２８の側壁部２８ｂ１と側壁部２８ｂ２で形成される隙間Ｌの大きさは、隙間Ｌで挟持される分の反射シート２７の厚みＴを足し合わせた寸法以下に設定するとよい。本実施例では、隙間Ｌの寸法と反射シート２７の厚みＴとの関係が、Ｌ≦Ｔ×２を満たしている。
これにより、より確実に、反射シート２７の角部に隙間が発生してしまうことを抑制でき、反射シート２７の角部が変形してしまうことを抑制することが可能となる。
【００２６】
以下に、他の形態の反射シート保持構造について説明する。
図５は、他の形態の反射シート保持構造を示す図である。
図５では、側壁部２８ｂ１に凸形状部２８ｃを設け、側壁部２８ｂ２との間で、Ｌ≦Ｔ×２となる隙間Ｌを形成する形態を示している。
このように、隙間Ｌの大きさが、Ｌ≦Ｔ×２の関係を満足するように、側壁部２８ｂ１と側壁部２８ｂ２のうち少なくともいずれかの側壁部に、隙間Ｌの大きさを設定（調整）するための突出部が設けられるものであってもよい。
【００２７】
また、本実施例では、第１延長部２７ｆは、側壁部２７ｂ１と略同一平面上に存在するものであり、第２延長部２７ｇは、側壁部２７ｂ２に対して折り線２７ｉで折り曲げられることで、第１延長部２７ｆと重ね合わされる構成について説明した。しかしながら、このような構成に限るものではない。例えば、第２延長部２７ｇが、側壁部２７ｂ２と略同一平面上に存在し、第１延長部２７ｆが、側壁部２７ｂ１に対して折り線で折り曲げられることで、第２延長部２７ｇと重ね合わされるものであってもよい。また、第１延長部２７ｆおよび第２延長部２７ｇがともに、それぞれ対応する側壁部に対して折り曲げられることで、第１延長部２７ｆと第２延長部２７ｇが重ね合わされるものであってもよい。
また、本実施例において、反射シート２７は、１枚のシート状の部材からなるものであってが、これに限るものではなく、複数のシート状の部材からなるものであってもよい。
【００２８】
（第２の実施例）
以下に、第２の実施例の表示装置１について説明する。なお、本実施例においては、第１の実施例に対して異なる構成部分について述べることとし、第１の実施例と同様の構成部分については、その説明を省略する。
【００２９】
図６Ａ〜６Ｃは、本実施例の表示装置１において、反射シートの角部を示す詳細図である。図６Ａには展開形態を示し、図６Ｂには形成形態を示し、図６Ｃには図６ＢのＢ部の拡大図を示している。図７は、本実施例の反射シート保持構造を示す詳細図である。
本実施例では、反射シート２７は、反射率の高い樹脂材料からなるシート材を図６Ａに示すようにカットし、図６Ｂに示すように折り線に従って折り曲げて箱形状を形成した構造になっている。
【００３０】
本実施例の特徴として、二つの側壁部２７ｂ１，２７ｂ２で形成される反射シート２７の角部には、第１の実施例で説明した第１延長部２７ｆと第２延長部２７ｇに加えてさらに、折り返し部２７ｈが設けられている。
折り返し部２７ｈは、第１延長部２７ｆ（図６Ａに示すハッチング部分）の先端側に設けられた部分であって、第１延長部２７ｆをさらに延長させて、ケース２８の外側で折り返して、ケース２８の内側に向かって延びて、第２延長部２７ｇを覆う（挟む）ように構成された部分である。
【００３１】
そして本実施例においては、第１延長部２７ｆと第２延長部２７ｇと折り返し部２７ｈが、重ね合わされた状態で、ケース２８の側壁部２８ｂ１と側壁部２８ｂ２で形成される隙間Ｌに挟持されている。このことで、反射シート２７の角部はケース２８に保持されている。
また本実施例では、隙間Ｌには、反射シート２７が３つ分（第１延長部２７ｆと第２延長部２７ｇと折り返し部２７ｈ）、挟み込まれるため、隙間Ｌの寸法は、反射シート２７の厚みＴとの間の関係が、Ｌ≦Ｔ×３を満たすように設定されている。
【００３２】
本実施例によれば、上述した第１の実施例と同様の効果を得ることができる。さらに、本実施例では、折り返し部２７ｈを設け、延長部とともに隙間Ｌに挟持されるように構成したので、隙間Ｌの大きさが、第１の実施例よりも大きく設定される場合であっても、好適に対応することができる。
また、側壁部２７ｂ１に設けられた第１延長部２７ｆと折り返し部２７ｈとで、側壁部２７ｂ２に設けられた第２延長部２７ｇを挟んで覆うように構成したので、反射シート２７内への塵埃Ｄ等の異物の侵入を抑制する効果をより高めることができる。
【００３３】
以下に、他の形態について説明する。
図８は、他の形態の反射シート保持構造を示す図である。
図７に示す形態では、折り返し部２７ｈは、第２延長部２７ｇを覆うように折り返されていた。これに対して図８に示す形態では、折り返し部２７ｈが、図７に示す形態とは反対側に折り返されている。このように、折り返し部２７ｈが、第２延長部２７ｇとの間で第１延長部２７ｆを挟むように重なり合った状態の反射シート２７の角部が、隙間Ｌに挟持されるような構成であってもよい。
【００３４】
図９は、他の形態の反射シート保持構造を示す図である。
図７に示す形態では、折り返し部２７ｈが先端側に設けられた第１延長部２７ｆは、側壁部２７ｂ１と略同一平面上に存在し、第２延長部２７ｇは、側壁部２７ｂ２に対して折り曲げられることで、第１延長部２７ｆと重ね合わされる構成であった。
これに対して、図９に示すように、折り返し部２７ｈが先端側に設けられた第１延長部２７ｆが、側壁部２７ｂ１に対して折り曲げられ、第２延長部２７ｇが、側壁部２７ｂ２と略同一平面上に存在する構成であってもよい。
このような構成は、図７に示す構成に対して、折り返し部を、第１延長部２７ｆの先端側ではなく、第２延長部２７ｇの先端側に設けることでも実現できる。
【符号の説明】
【００３５】
１…表示装置、２１…液晶パネル、２５…光源基板、２７…反射シート、２７ａ…平面部、２７ｂ１，２７ｂ２…側壁部、２７ｆ…第１延長部、２７ｇ…第２延長部、２８…ケース、２８ａ…平面部、２８ｂ１，２８ｂ２…側壁部、Ｌ…隙間
【図１】
2018189843.tif 000003
【図２】
2018189843.tif 000004
【図３】
2018189843.tif 000005
【図４】
2018189843.tif 000006
【図５】
2018189843.tif 000007
【図６】
2018189843.tif 000008
【図７】
2018189843.tif 000009
【図８】
2018189843.tif 000010
【図９】
2018189843.tif 000011
【図１０】
2018189843.tif 000012